(57)【要約】【課題】揺れた場合に視聴者の視認性の悪化を抑えることができる表示装置、携帯端末装置、表示方法および表示プログラムを提供する。【解決手段】表示装置１１は、表示部２４と、前記表示部２４の揺れの状態に関する情報を検出する揺れ状態検出部２１と、前記揺れ状態検出部２１による検出結果に基づいて、揺れ度が大きいほど、段階的にまたは連続的に、前記表示部２４における画像の表示フレームレートが高くなるように制御する制御部２２と、を備えることを特徴とする。【選択図】図１
2014044559.tif 000002
【特許請求の範囲】
【請求項１】
表示部と、
前記表示部の揺れの状態に関する情報を検出する揺れ状態検出部と、
前記揺れ状態検出部による検出結果に基づいて、揺れ度が大きいほど、段階的にまたは連続的に、前記表示部における画像の表示フレームレートが高くなるように制御する制御部と、
を備えることを特徴とする表示装置。
【請求項２】
前記制御部は、通常モードの状態から省エネモードの状態になった場合に、前記表示部における画像の表示フレームレートを、通常モードの状態と比べて、低くした状態に設定する、
ことを特徴とする請求項１に記載の表示装置。
【請求項３】
請求項１または請求項２に記載の表示装置を備えることを特徴とする携帯端末装置。
【請求項４】
揺れ状態検出部が、表示部の揺れの状態に関する情報を検出する第１のステップと、
制御部が、前記揺れ状態検出部による検出結果に基づいて、揺れ度が大きいほど、段階的にまたは連続的に、前記表示部における画像の表示フレームレートが高くなるように制御する第２のステップと、
を有することを特徴とする表示方法。
【請求項５】
情報処理装置のコンピュータに、
揺れ状態検出部が、表示部の揺れの状態に関する情報を検出する第１の手順と、
制御部が、前記揺れ状態検出部による検出結果に基づいて、揺れ度が大きいほど、段階的にまたは連続的に、前記表示部における画像の表示フレームレートが高くなるように制御する第２の手順と、
を実行させるための表示プログラム。
【発明の詳細な説明】
【技術分野】
【０００１】
本発明は、表示装置、携帯端末装置、表示方法および表示プログラムに関する。
【背景技術】
【０００２】
スマートフォンなどの携帯電話の携帯端末装置や、ＰＤＡ（Ｐｅｒｓｏｎａｌ  Ｄｉｇｉｔａｌ  Ａｓｓｉｓｔａｎｔ）の携帯端末装置などが、使用されている。このような携帯端末装置は、画面を備え、当該画面に様々な情報を表示する。また、このような画面表示について様々な検討が為されている。
【０００３】
一例として、特許文献１に記載された携帯電話の表示装置では、視聴者の状況に応じて画像の表示フレームレートを低くすることで、省電力化が図られる（特許文献１参照。）。例えば、この表示装置では、当該表示装置の揺れが大きい場合には、視聴者が注視していないと推定して、画像の表示フレームレートを低くする（特許文献１参照。）。
【０００４】
また、スマートフォンなどの携帯端末装置には、省エネモードに設定されると、画像の表示フレームレートを低くして、消費電力を抑える仕組みが備えられているものがある。
【先行技術文献】
【特許文献】
【０００５】
【特許文献１】特開２０１２−１０９８１０号公報
【発明の概要】
【発明が解決しようとする課題】
【０００６】
しかしながら、上述のような従来の技術では、表示される画像について、視聴者の視認性の観点からは、問題があった。具体的には、例えば、視聴者が携帯端末装置を持って歩行しているときなどに、当該携帯端末装置が揺れる（当該携帯端末装置に備えられた画面が揺れる）状態では、視聴者が画面を追従しづらくなるため、画像の表示フレームレートが低くなっていると、視聴者の視認性が悪化してしまうという問題があった。
【０００７】
本発明は、このような事情に鑑みてなされたものであり、その目的は、揺れた場合に視聴者の視認性の悪化を抑えることができる表示装置、携帯端末装置、表示方法および表示プログラムを提供することにある。
【課題を解決するための手段】
【０００８】
（１）本発明は上記の課題を解決するためになされたものであり、本発明の一態様は、表示装置であって、表示部と、前記表示部の揺れの状態に関する情報を検出する揺れ状態検出部と、前記揺れ状態検出部による検出結果に基づいて、揺れ度が大きいほど、段階的にまたは連続的に、前記表示部における画像の表示フレームレートが高くなるように制御する制御部と、を備えることを特徴とする。
【０００９】
（２）また、本発明の一態様は、上記した（１）に記載の表示装置であって、前記制御部は、通常モードの状態から省エネモードの状態になった場合に、前記表示部における画像の表示フレームレートを、通常モードの状態と比べて、低くした状態に設定する、ことを特徴とする。
【００１０】
（３）また、本発明の一態様は、携帯端末装置であって、上記した（１）または上記した（２）に記載の表示装置を備えることを特徴とする。
【００１１】
（４）また、本発明の一態様は、表示方法であって、揺れ状態検出部が、表示部の揺れの状態に関する情報を検出する第１のステップと、制御部が、前記揺れ状態検出部による検出結果に基づいて、揺れ度が大きいほど、段階的にまたは連続的に、前記表示部における画像の表示フレームレートが高くなるように制御する第２のステップと、を有することを特徴とする。
【００１２】
（５）また、本発明の一態様は、表示プログラムであって、情報処理装置のコンピュータに、揺れ状態検出部が、表示部の揺れの状態に関する情報を検出する第１の手順と、制御部が、前記揺れ状態検出部による検出結果に基づいて、揺れ度が大きいほど、段階的にまたは連続的に、前記表示部における画像の表示フレームレートが高くなるように制御する第２の手順と、を実行させるためのプログラムである。
【発明の効果】
【００１３】
本発明によれば、揺れた場合に視聴者の視認性の悪化を抑えることができる表示装置、表示方法および表示プログラムを提供することができる。
【図面の簡単な説明】
【００１４】
【図１】本実施形態に係る表示装置を備える携帯端末装置の構成の一例を示す概略ブロック図である。
【図２】制御部により表示フレームレートを決定する処理の手順の一例を示す図である。
【発明を実施するための形態】
【００１５】
以下、図面を参照しながら本発明の実施形態について詳しく説明する。
図１は、本実施形態に係る表示装置１１を備える携帯端末装置１の構成の一例を示す概略ブロック図である。
本実施形態に係る携帯端末装置１は、情報を表示する表示装置１１を備える。
なお、本実施形態に係る携帯端末装置１は、表示装置１１以外に、ユーザにより操作されるキーなどから構成される操作部や、音声を出力するスピーカや、音声を入力するマイクや、無線により通信を行う無線通信部などを備えるが、これらとしては様々なものが用いられてもよく、これらの図示や詳しい説明は省略する。
【００１６】
本実施形態に係る表示装置１１は、揺れ状態検出部２１と、制御部２２と、表示フレームレート設定部２３と、表示部２４を備える。
揺れ状態検出部２１は、表示部２４の揺れの状態に関する情報を検出し、当該検出結果を制御部２２に出力する。
本実施形態では、揺れ状態検出部２１は、表示部２４の揺れの状態に関する情報として、表示部２４の揺れの大きさ（揺れ度）を検出する。なお、揺れ状態検出部２１は、揺れの大きさがゼロ（０）であると検出した場合には、揺れていないと判定（検出）することができ、一方、揺れの大きさがゼロ（０）ではないと検出した場合には、揺れていると判定（検出）することができる。
【００１７】
ここで、本実施形態では、揺れ状態検出部２１の揺れの状態（例えば、揺れの大きさ）と、表示部２４の揺れの状態とは、同じであるとする。
また、本実施形態では、揺れ状態検出部２１の揺れの状態（例えば、揺れの大きさ）と、当該揺れ状態検出部２１を備える表示装置１１の揺れの状態と、当該表示装置１１を備える携帯端末装置１の揺れの状態とは、同じであるとする。
なお、表示部２４の揺れの状態を検出する手法としては、例えば、表示部２４の揺れの状態を直接的に検出する手法が用いられてもよく、または、表示部２４以外のところ（例えば、携帯端末装置１における任意のところ）の揺れの状態を検出して、そのままの検出結果または検出結果に対してあらかじめ定められた補正を行った結果を、表示部２４の揺れの状態とみなす手法が用いられてもよい。
【００１８】
また、揺れ状態検出部２１は、様々なセンサを用いて構成されてもよく、例えば、任意の方向またはあらかじめ定められた１以上の方向について、自己の加速度を検出する加速度センサや、自己の速度を検出する速度センサや、自己の移動量を検出する移動量センサや、自己の振動数を検出する振動数センサなど、を用いて構成することができる。
また、表示部２４の揺れの大きさ（揺れ度）としては、様々な値が用いられてもよく、例えば、任意の方向またはあらかじめ定められた１以上の方向について、加速度、速度、移動量、振動数などのうちの１つの値、または、これらのうちの２つ以上の値の組み合わせ（例えば、２つ以上の値をあらかじめ定められた式に代入して得られる１つの値）などを用いることができる。
【００１９】
制御部２２は、揺れ状態検出部２１から入力される表示部２４の揺れの状態に関する情報（本実施形態では、揺れ度）に基づいて、表示のフレームレート（表示フレームレート）を決定し、決定した表示フレームレートを表示フレームレート設定部２３に出力する。
ここで、制御部２２は、表示部２４の揺れの状態に関する情報（本実施形態では、揺れ度）に応じて一つの表示フレームレートを決定する情報に基づいて、表示フレームレートを決定する。
【００２０】
本実施形態では、制御部２２は、揺れ度に関する１つ以上の閾値を用いて、表示フレームレートを決定する。
一例として、本実施形態では、制御部２２は、揺れ度が第１の閾値ａ（第１の閾値ａは０より大きい）より大きい場合には表示フレームレートを第１の値に決定し、揺れ度が第１の閾値ａ以下であり且つ第２の閾値ｂ（第２の閾値ｂは０より大きく第１の閾値ａより小さい）より大きい場合には表示フレームレートを第２の値（第２の値は第１の値より低い）に決定し、揺れ度が第２の閾値ｂ以下である場合には表示フレームレートを第３の値（第３の値は第２の値より低い）に決定する。ここで、比較的には、第1の値は“高”い値（例えば、６０フレーム／秒など）であり、第２の値は“中”程度の値（例えば、３０フレーム／秒など）であり、第３の値は“低”い値（例えば、１０フレーム／秒など）である。
【００２１】
このように、本実施形態では、制御部２２は、揺れ度が含まれる範囲（閾値を用いて特定される範囲）に応じて表示フレームレートを決定するが、他の構成例として、揺れ度をあらかじめ定められた式に代入して、その式の演算結果の値を表示フレームレートとして決定する構成が用いられてもよい。このような式としては、揺れ度が大きいほど、表示フレームレートが高くなる式を使用する。
なお、表示部２４の揺れの状態に関する情報（本実施形態では、揺れ度）に応じて一つの表示フレームレートを決定する情報（例えば、閾値、または、式など）は、例えば、制御部２２の内部のメモリ、または、制御部２２の外部のメモリ（任意のところにあってもよい）に記憶されて、制御部２２により参照される。
【００２２】
表示フレームレート設定部２３は、制御部２２から入力される表示フレームレートを表示部２４に出力し、これにより、当該表示フレームレートを表示部２４に設定する。
表示部２４は、画面を備え、様々な情報を当該画面に表示する。
本実施形態では、表示部２４は、表示フレームレート設定部２３から入力される表示フレームレートを設定し、設定した表示フレームレートを使用して画像を表示する。一例として、本実施形態では、表示部２４は、設定した表示フレームレートに応じて、画像メモリに記憶された画像のデータを１フレーム単位で読み出して、読み出した画像のデータを画面に表示する。なお、この画像メモリは、例えば、携帯端末装置１の内部または外部に備えられ、表示部２４により表示する対象となる画像（例えば、動画像、または、複数のフレームが連続して並ぶ静止画像）のデータが記憶される。
【００２３】
図２を参照して、制御部２４により表示フレームレートを決定する処理の手順の一例を示す。
図２は、制御部２４により表示フレームレートを決定する処理の手順の一例を示す図である。
まず、制御部２２は、揺れ状態検出部２１から入力される表示部２４の揺れの状態に関する情報（本実施形態では、揺れ度）が第１の閾値ａより大きいか否かを判定する（ステップＳ1）。
【００２４】
ステップＳ１の処理の結果、制御部２２は、揺れ度が第１の閾値ａより大きいと判定した場合には、表示フレームレートを第１の値（表示フレームレート＝“高”）とするように決定する（ステップＳ５）。そして、制御部２２は、本処理を終了する。
一方、ステップＳ1の処理の結果、制御部２２は、揺れ度が第１の閾値ａより大きくない（つまり、第１の閾値ａ以下である）と判定した場合には、揺れ度が第２の閾値ｂより大きいか否かを判定する（ステップＳ２）。
【００２５】
ステップＳ２の処理の結果、制御部２２は、揺れ度が第２の閾値ｂより大きいと判定した場合には、表示フレームレートを第２の値（表示フレームレート＝“中”）とするように決定する（ステップＳ４）。そして、制御部２２は、本処理を終了する。
一方、ステップＳ２の処理の結果、制御部２２は、揺れ度が第２の閾値ｂより大きくない（つまり、第２の閾値ｂ以下である）と判定した場合には、表示フレームレートを第３の値（表示フレームレート＝“低”）とするように決定する（ステップＳ３）。そして、制御部２２は、本処理を終了する。
【００２６】
一例として、本実施形態に係る携帯端末装置１に備えられた表示装置１１は、当該携帯端末装置１が通常モードの状態（省エネではないモードの状態）からユーザによる操作などに応じて省エネモードの状態に設定されると、制御部２２により、表示部２４の表示フレームレートを、通常モードの状態と比べて、一律に低くした状態（例えば、当該携帯端末装置１が通常モードの状態であるときにおける表示フレームレートよりも表示フレームレートを所定の値だけ低くした状態）に設定し、これにより、省エネを実現する。この状態において、表示装置１１は、揺れ状態検出部２１により表示部２４の揺れ度を検出し、検出された揺れ度があらかじめ定められた閾値を超えた場合には、制御部２２により、表示部２４の表示フレームレートを、通常モードの状態における表示フレームレートに戻すように制御する。図２に示される処理フローでは、一例として、省エネモードの状態における表示部２４の表示フレームレートを第３の値（表示フレームレート＝“低”）とし、通常モードの状態における表示部２４の表示フレームレートを第１の値（表示フレームレート＝“高”）とし、さらに、これらの中間に、表示部２４の表示フレームレートを第２の値（表示フレームレート＝“中”）に設定する状態を設けている。
ここで、この例では、携帯端末装置１が通常モードの状態であるときには表示装置１１も通常モードの状態であり、携帯端末装置１が省エネモードの状態であるときには表示装置１１も省エネモードの状態である。
【００２７】
以上のように、本実施形態に係る携帯端末装置１に備えられた表示装置１１は、表示部２４の揺れ度を検出し、検出した揺れ度が大きいほど、段階的にまたは連続的に、表示部２４における画像の表示フレームレートが高くなるように制御する。
したがって、本実施形態に係る携帯端末装置１に備えられた表示装置１１によると、表示部分（本実施形態では、表示部２４の画面）の揺れが大きいことに応じて表示フレームレートを高くすることにより、例えば、表示部分の揺れのために視聴者（ユーザ）が表示部分を追従しづらくなった場合においても、表示部分の揺れの大きさ（視聴者による表示部分の追従の悪化）に応じて、表示フレームレートを高めて、視認性を向上させることができる。これにより、本実施形態に係る表示装置１１では、揺れた場合に視聴者の視認性の悪化を抑えることができる。
【００２８】
ここで、本実施形態では、本実施形態に係る表示装置１１を携帯端末装置１に備える場合を示したが、他の構成例として、携帯端末装置１の代わりに、他の様々な装置に本実施形態に係る表示装置１１を備えて、本実施形態と同様な機能を実現することができる。
【００２９】
＜本実施形態に係る構成例＞
一構成例として、表示部２４と、前記表示部２４の揺れの状態に関する情報（本実施形態では、揺れ度）を検出する揺れ状態検出部２１と、前記揺れ状態検出部２１による検出結果に基づいて、揺れ度が大きいほど、段階的にまたは連続的に、前記表示部２４における画像の表示フレームレートが高くなるように制御する制御部２２と、を備えることを特徴とする表示装置１１である。
【００３０】
一構成例として、前記制御部２２は、通常モードの状態から省エネモードの状態になった場合に、前記表示部２４における画像の表示フレームレートを、通常モードの状態と比べて、低くした状態に設定する、ことを特徴とする表示装置１１である。
【００３１】
［以上の実施形態のまとめ］
なお、以上に説明した携帯端末装置１（特に、表示装置１１）における任意の構成部の機能を実現するためのプログラムを、コンピュータ読み取り可能な記録媒体に記録し、そのプログラムをコンピュータシステムに読み込ませて実行するようにしてもよい。なお、ここで言う「コンピュータシステム」とは、ＯＳ（Ｏｐｅｒａｔｉｎｇ  Ｓｙｓｔｅｍ）や周辺機器等のハードウェアを含むものとする。また、「コンピュータシステム」は、インターネットやＷＡＮ（Ｗｉｄｅ  Ａｒｅａ  Ｎｅｔｗｏｒｋ）、ＬＡＮ（Ｌｏｃａｌ  Ａｒｅａ  Ｎｅｔｗｏｒｋ）、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、ＣＤ（Ｃｏｍｐａｃｔ  Ｄｉｓｋ）−ＲＯＭ等の可搬媒体、コンピュータシステムに内蔵されるハードディスク等の記憶装置のことを言う。さらに、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ：Ｒａｎｄｏｍ  Ａｃｃｅｓｓ  Ｍｅｍｏｒｙ）のように、一定時間プログラムを保持しているものも含むものとする。
【００３２】
また、上記のプログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことを言う。
また、上記のプログラムは、前述した機能の一部を実現するためのものであってもよい。さらに、上記のプログラムは、前述した機能をコンピュータシステムにすでに記録されているプログラムとの組み合わせで実現できるもの、いわゆる差分ファイル（差分プログラム）であってもよい。
【００３３】
また、前述した機能の一部または全部を、ＬＳＩ（Ｌａｒｇｅ  Ｓｃａｌｅ  Ｉｎｔｅｇｒａｔｉｏｎ）等の集積回路として実現してもよい。前述した各機能は、個別にプロセッサ化されてもよいし、あるいは、一部または全部を集積してプロセッサ化されてもよい。また、集積回路化の手法としては、ＬＳＩに限られず、専用回路または汎用プロセッサで実現されてもよい。また、半導体技術の進歩によりＬＳＩに代替する集積回路化の技術が出現した場合には、当該技術による集積回路が用いられてもよい。
【００３４】
以上、この発明の実施形態について図面を参照して詳述してきたが、具体的な構成はこの実施形態に限られるものではなく、この発明の要旨を逸脱しない範囲の設計等も含まれる。
【符号の説明】
【００３５】
１…携帯端末装置、１１…表示装置、２１…揺れ状態検出部、２２…制御部、２３…表示フレームレート設定部、２４…表示部
【図１】
2014044559.tif 000003
【図２】
2014044559.tif 000004